(57)【要約】【課題】例えば表示装置内でタッチ検出用の磁界を発生させるような電磁誘導方式のインセルタッチパネルにおいて、表示領域の端部においても表示領域の中央と同様の磁界を発生させることができる入力検出装置を提供する。【解決手段】入力検出装置は、検出領域に配置された複数の第１駆動電極ＴＬ（０）〜ＴＬ（ｐ）と、額縁領域に配置された第２駆動電極ＴＬ（ｄＵ）と、第２駆動電極ＴＬ（ｄＵ）を駆動する第２駆動回路と、を備える。そして、複数の第１駆動電極ＴＬ（０）〜ＴＬ（ｐ）と第２駆動電極ＴＬ（ｄＵ）とは第１方向に延在し第１方向と交差する第２方向に配列され、額縁領域において第２駆動電極ＴＬ（ｄＵ）と第２駆動回路とは第１方向に配列される。【選択図】図１２
2018037074.tif 000002
【特許請求の範囲】
【請求項１】
表示領域に配置された複数の画素電極と、
表示領域に配置された複数の第１駆動電極と、
額縁領域に配置された第２駆動電極と、
額縁領域に配置され、第２駆動電極と接続された第２駆動回路と、
を備え、
前記複数の第１駆動電極と前記第２駆動電極とは第１方向に延在し前記第１方向と交差する第２方向に配列され、
前記第２駆動回路は、磁界駆動信号を第２駆動電極に供給する、
表示装置。
【請求項２】
請求項１に記載の表示装置において、
前記第２駆動電極と少なくとも一つの前記第１駆動電極とを同時に駆動して磁界を発生させる、
表示装置。
【請求項３】
請求項１に記載の表示装置において、
前記第１駆動電極とそれぞれ電気的に接続された複数の第１駆動回路をさらに有し、
前記第２駆動回路と少なくとも一つの前記第１駆動回路は、同時に、第２駆動電極と少なくとも一つの前記第１駆動電極とに同時に磁界駆動信号を供給する、
表示装置。
【請求項４】
請求項１に記載の表示装置において、
第１配線と第２配線をさらに有し、
第２駆動回路は、第１期間において、第１電圧を第２駆動電極の一方端に第１配線を介して供給し、第２電圧を第２駆動電極の他方端に第２配線を介して供給する、
第２電圧は第１電圧より高い、
表示装置。
【請求項５】
請求項４に記載の表示装置において、
前記第１駆動電極とそれぞれ電気的に接続された複数の第１駆動回路をさらに有し、
少なくとも一つの前記第１駆動回路は、第１期間において、第１電圧を少なくとも一つの第１駆動電極の他方端に第１配線を介して供給し、第２電圧を少なくとも一つの第１駆動電極の一方端に第２配線を介して供給する、
表示装置。
【請求項６】
請求項４に記載の表示装置において、
前記第１駆動電極とそれぞれ電気的に接続された複数の第１駆動回路をさらに有し、
少なくとも一つの前記第１駆動回路は、第１期間において、第１電圧を少なくとも一つの第１駆動電極の一方端に第１配線を介して供給し、第２電圧を少なくとも一つの第１駆動電極の他方端に第２配線を介して供給する、
表示装置。
【請求項７】
請求項４に記載の表示装置において、
前記第１駆動電極とそれぞれ電気的に接続された複数の第１駆動回路をさらに有し、
少なくとも一つの前記第１駆動回路は、少なくとも一つの前記第１駆動電極に表示駆動信号を供給する、
表示装置。
【請求項８】
請求項４に記載の表示装置において、
前記第１駆動電極とそれぞれ電気的に接続された複数の第１駆動回路をさらに有し、
少なくとも一つの前記第１駆動回路は、少なくとも一つの前記第１駆動電極に電界駆動信号を供給する、
表示装置。
【請求項９】
検出領域に配置された複数の第１駆動電極と、
額縁領域に配置された第２駆動電極と、
前記第２駆動電極を駆動する第２駆動回路と、
を備え、
前記複数の第１駆動電極と前記第２駆動電極とは第１方向に延在し前記第１方向と交差する第２方向に配列され、
前記額縁領域において前記第２駆動電極と前記第２駆動回路とは前記第１方向に配列される、入力検出装置。
【請求項１０】
請求項９に記載の入力検出装置において、
前記第２駆動電極と前記複数の第１駆動電極とを同時に駆動して磁界を発生させる、入力検出装置。
【請求項１１】
請求項９に記載の入力検出装置において、
前記第２駆動回路は、
前記第２駆動電極に駆動電圧を供給する信号配線と前記第２駆動電極とを接続する第２スイッチと、
前記第２スイッチを切り替えて前記第２駆動電極を選択する第２選択回路と、
を含む、入力検出装置。
【請求項１２】
請求項９に記載の入力検出装置において、
前記第１方向において前記第２駆動電極は前記第１駆動電極より短い、入力検出装置。
【請求項１３】
請求項９に記載の入力検出装置において、
前記第２方向において前記第２駆動電極は前記第１駆動電極より短い、入力検出装置。
【請求項１４】
請求項９に記載の入力検出装置において、
前記第１駆動電極を駆動する第１駆動回路をさらに備え、
前記第１駆動回路は、
前記第１駆動電極に駆動電圧を供給する信号配線と前記第１駆動電極とを接続する第１スイッチと、
前記第１スイッチを切り替えて前記第１駆動電極を選択する第１選択回路と、
を含み、
前記第１駆動回路および前記第２駆動回路は前記第１駆動電極と前記第２駆動電極とを同時に駆動して磁界を発生させる、入力検出装置。
【請求項１５】
請求項９に記載の入力検出装置において、
前記額縁領域において、前記第１方向に延在する信号配線を更に有し、
磁界を発生させる時に前記信号配線と前記第２駆動電極とに流れる電流量の合計と前記第１駆動電極に流れる電流量とが等しい、入力検出装置。
【請求項１６】
請求項９に記載の入力検出装置において、
前記第２駆動電極は前記額縁領域の一つの辺に複数配置される、入力検出装置。
【請求項１７】
請求項９に記載の入力検出装置において、
前記複数の第１駆動電極は検出電極としても機能する、入力検出装置。
【請求項１８】
請求項９に記載の入力検出装置において、
前記第２駆動電極は金属材料で形成される、入力検出装置。
【請求項１９】
請求項９に記載の入力検出装置を備える、電子装置。
【発明の詳細な説明】
【技術分野】
【０００１】
本発明は、表示装置、入力検出装置および電子装置に関し、特に外部物体の近接を検出可能なタッチ検出機能を有する表示装置、入力検出装置および電子装置に関する。
【背景技術】
【０００２】
近年、入力検出装置として、いわゆるタッチパネルと呼ばれる、外部物体の近接（以下、接触も含む）を検出可能なタッチ検出機能を有する入力検出装置が注目されている。タッチパネルは、表示装置、例えば液晶表示装置上に装着または液晶表示装置と一体化され、タッチ検出機能付き表示装置として提供される。
【０００３】
外部物体として、例えばペンを用いることを可能にしたタッチパネルがある。ペンを用いることにより、例えば小さな領域を指定したり、手書き文字の入力が可能となる。ペンによるタッチを検出する技術は、種々ある。種々ある技術の一つとして、電磁誘導方式がある。電磁誘導方式は、高精度、高い筆圧検出精度を実現することが可能であり、外部物体がタッチパネル表面から離間したホバリング検出機能も実現可能であるため、ペンによるタッチを検出する技術としては有力な技術である。
【０００４】
また、外部物体として、指等の検出が可能なタッチ検出装置がある。この場合、検出対象が、ペンと異なるため、タッチを検出する技術としては、電磁誘導方式とは異なる方式が採用される。例えば、指等のタッチにより生じる光学的な変化、抵抗値の変化、あるいは電界の変化を検出する方式が存在する。これらの方式のなかで、電界の変化を検出する方式は、例えば静電容量を用いる静電容量方式がある。静電容量方式は、比較的単純な構造を有し、低消費電力であるため、携帯情報端末などに用いられている。
【０００５】
電磁誘導方式のタッチパネルに関する技術は、例えば特許文献１に記載されている。
【先行技術文献】
【特許文献】
【０００６】
【特許文献１】特開平１０−４９３０１号公報
【発明の概要】
【発明が解決しようとする課題】
【０００７】
タッチ検出機能付き表示装置には、タッチパネルを表示装置と一体化した、いわゆるインセルタイプの表示装置と、タッチパネルを表示装置上に装着した、いわゆるオンセルタイプの表示装置とがある。
【０００８】
インセルタイプの表示装置で電磁誘導方式のタッチ検出を行う場合、表示領域の共通電極を磁界発生用の駆動電極とすることが考えられる。しかし、この場合、表示領域の最も端、もしくはその付近にある共通電極の領域では表示領域の中心よりも磁界を発生させにくいという問題があった。
【０００９】
特許文献１には、液晶パネルのセグメント電極とコモン電極を磁界タッチ検出の検出電極とするインセルタイプのタッチパネルについて記載されているが、液晶パネル内の電極を用いて磁界を発生させること、また、その場合の課題については記載も示唆もない。
【００１０】
本発明の目的は、例えば表示装置内でタッチ検出用の磁界を発生させるような電磁誘導方式のインセルタッチパネルにおいて、表示領域の端部においても表示領域の中央と同様の磁界を発生させることができる入力検出装置を提供することにある。
【課題を解決するための手段】
【００１１】
本発明の一態様に係わる入力検出装置は、検出領域に配置された複数の第１駆動電極と、額縁領域に配置された第２駆動電極と、第２駆動電極を駆動する第２駆動回路と、を備える。そして、複数の第１駆動電極と第２駆動電極とは第１方向に延在し第１方向と交差する第２方向に配列され、額縁領域において第２駆動電極と第２駆動回路とは第１方向に配列される。
【図面の簡単な説明】
【００１２】
【図１】（Ａ）および（Ｂ）は、表示装置の構成を示す平面図および断面図である。
【図２】（Ａ）〜（Ｃ）は、磁界検出の原理を示す説明図である。
【図３】（Ａ）〜（Ｃ）は、電界検出の原理を示す説明図である。
【図４】実施の形態１に係わる表示装置の構成を示すブロック図である。
【図５】実施の形態１に係わるモジュールの構成を示す平面図である。
【図６】実施の形態１に係わる表示装置の構成を示す平面図である。
【図７】実施の形態１に係わる表示装置の動作を示す平面図である。
【図８】実施の形態１に係わる表示装置の動作を示す平面図である。
【図９】実施の形態１に係わる駆動回路と駆動電極の構成を示す平面図である。
【図１０】実施の形態１に係わる駆動回路と駆動電極の構成を示す平面図である。
【図１１】実施の形態１に係わる表示装置の回路配置を示す平面図である。
【図１２】実施の形態１の変形例に係わる表示装置の回路配置を示す平面図である。
【図１３】実施の形態２に係わる表示装置の構成および動作を示す平面図である。
【図１４】実施の形態２に係わる表示装置の構成および動作を示す平面図である。
【図１５】実施の形態２に係わる表示装置の構成および動作を示す平面図である。
【図１６】実施の形態１および２に係わる電子装置を示す斜視図である。
【発明を実施するための形態】
【００１３】
以下、本発明の各実施の形態について、図面を参照しつつ説明する。なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１４】
また、本明細書と各図において、既出の図に関して前述したものと同様の要素には、同一の符号を付して、詳細な説明を適宜省略することがある。以下の説明は、入力検出装置として、タッチ検出機能付き液晶表示装置を例として述べるが、これに限定されるものではない。例えば、入力検出装置は、タッチ検出機能付きＯＬＥＤ表示装置でもよいし、表示機能を有していないタッチパネル等であってもよい。
【００１５】
（実施の形態１）
実施の形態１では、ペンと指との両方の接触または近接を検出することができる表示装置、すなわち電磁誘導方式と静電容量方式の入力装置を内蔵した表示装置について説明する。本実施の形態１の表示装置は、同一の装置構成で、表示動作と、電磁誘導方式の入力検出動作と、静電容量方式の入力検出動作とを時分割で行うことができる。本実施の形態１の表示装置は、液晶により画像表示を行う表示装置であるが、液晶に限定されず、ＯＬＥＤなどにより画像表示を行ってもよい。
【００１６】
＜表示装置の基本的な構成＞
図１は、表示装置の構成を模式的に示す図である。図１において、１は、表示装置を示しており、図１（Ａ）は、表示装置１の平面を示す平面図であり、図１（Ｂ）は、表示装置１の断面を示す断面図である。表示装置１は、第１基板ＴＧＢと、第１基板ＴＧＢに積層されたレイヤ（層）、カラーフィルタＣＦＴ、第２基板ＣＧＢおよび第２基板ＣＧＢに積層されたレイヤ（層）を備えている。第１基板ＴＧＢおよび第２基板ＣＧＢは、絶縁基板である。例えば、第１基板ＴＧＢおよび第２基板ＣＧＢは、ガラス基板またはフィルム基板である。
【００１７】
図１（Ａ）において、ＴＬ（０）〜ＴＬ（ｐ）は、第１基板ＴＧＢの第１主面ＴＳＦ１に形成されたレイヤによって構成された駆動電極を示している。駆動電極ＴＬ（０）〜ＴＬ（ｐ）は、表示動作の共通電極と、磁界発生の駆動電極と、電界発生の駆動電極として機能する。また、ＲＬ（０）〜ＲＬ（ｐ）は、第２基板ＣＧＢの第１主面ＣＳＦ１に形成されたレイヤによって構成された検出電極を示している。検出電極ＲＬ（０）〜ＲＬ（ｐ）は、磁界検出の検出電極と、電界検出の検出電極として機能する。図１（Ａ）の第１基板ＴＧＢと第２基板ＣＧＢとは、図１（Ｂ）に示すように、液晶層を挟んで、第１基板ＴＧＢの第１主面ＴＳＦ１と第２基板ＣＧＢの第２主面ＣＳＦ２とが対向するように配置される。
【００１８】
図１（Ｂ）に示すように第１基板ＴＧＢの第１主面ＴＳＦ１と、第２基板ＣＧＢの第２主面ＣＳＦ２との間に駆動電極ＴＬ（０）〜ＴＬ（ｎ＋２）、液晶層およびカラーフィルタＣＦＴが配置されている。また、第２基板ＣＧＢの第１主面ＣＳＦ１には、図１（Ａ）に示した複数の検出電極ＲＬ（０）〜ＲＬ（ｐ）と、偏光板とが配置されている。また、図１（Ｂ）において、１３は検出電極ＲＬ（ｎ）に接続された単位検出回路を示している。
【００１９】
本明細書では、表示装置１を図１（Ｂ）の第１主面ＣＳＦ１、ＴＳＦ１に垂直な方向から見たときの状態を、平面視として説明する。平面視で見たとき、駆動電極ＴＬ（０）〜ＴＬ（ｐ）は、第１基板ＴＧＢの第１主面ＴＳＦ１において、図１（Ａ）に示すように、行方向（横方向）に延在し、列方向（縦方向）に平行に配置されている。また、検出電極ＲＬ（０）〜ＲＬ（ｐ）は、第２基板ＣＧＢの第１主面ＣＳＦ１において、図１（Ａ）に示すように、列方向（縦方向）に延在し、行方向（横方向）に平行に配置されている。
【００２０】
駆動電極ＴＬ（０）〜ＴＬ（ｐ）と検出電極ＲＬ（０）〜ＲＬ（ｐ）の間は、第２基板ＣＧＢ、液晶層等を介して互いに電気的に分離されている。この時、駆動電極と検出電極との間に形成される容量が図１（Ｂ）の破線で示される。
【００２１】
この実施の形態においては、駆動電極ＴＬ（０）〜ＴＬ（ｐ）と検出電極ＲＬ（０）〜ＲＬ（ｐ）とが互いに直交して配置されているが、これに限らず傾きを持って交差して配置されていてもよい。
【００２２】
＜磁界検出の原理＞
図２は、磁界検出の原理を示す説明図である。磁界検出の期間は、磁界を発生する磁界発生期間と磁界を検出する磁界検出期間とによって構成される。図２（Ａ）および（Ｃ）は、磁界発生期間の動作を示し、図２（Ｂ）は、磁界検出期間の動作を示す。
【００２３】
本実施の形態では、図１に示す駆動電極ＴＬ（０）〜ＴＬ（ｐ）を磁界発生の駆動電極として用いる。磁界発生期間においては、それぞれ平行に配置されている駆動電極ＴＬ（０）〜ＴＬ（ｐ）のうち、離間して配置される所定の駆動電極同士を直列に接続し、それぞれの端部に異なる駆動電圧を供給することによって駆動電極に電流を流し磁界を発生させる。例えば、図１に示した駆動電極ＴＬ（０）およびＴＬ（２）の右側の端部同士を電気的に接続する。次いで、駆動電極ＴＬ（０）の左側の端部から第１電圧Ｖｓを供給し、駆動電極ＴＬ（２）の左側の端部から第１電圧Ｖｓと異なる電圧値を有する磁界駆動信号を供給することにより駆動電極ＴＬ（０）とＴＬ（２）とに電流が流れ、間に挟まれた駆動電極ＴＬ（１）の領域を中心として磁界を発生する。ここで、磁界駆動信号は、その電圧が周期的に変化する信号である。この時、駆動電極ＴＬ（０）およびＴＬ（２）を磁界発生コイルとみなすことができる。第１電圧Ｖｓは、例えば、接地電圧または基準電圧である。
【００２４】
図２（Ａ）において、ＧＸ（ｎ−１）は、駆動電極ＴＬ（０）、ＴＬ（２）によって構成された磁界発生コイルを示し、ＧＸ（ｎ）〜ＧＸ（ｎ＋４）のそれぞれは、磁界発生コイルＧＸ（ｎ−１）と同様に、駆動電極ＴＬ（１）、ＴＬ（３）〜ＴＬ（ｐ）によって構成された磁界発生コイルを示している。
【００２５】
図２（Ａ）において、容量素子ＣとコイルＬ１は、共振回路を構成するように並列接続され、ペンＰｅｎに内蔵されている。磁界発生期間において、磁界発生コイルＧＸ（ｎ−１）〜ＧＸ（ｎ＋３）のそれぞれの一方の端部には、第１電圧Ｖｓが供給されている。この時、磁界駆動信号ＣＬＫが、磁界発生コイルＧＸ（ｎ）の他方の端部に供給されると磁界発生コイルＧＸ（ｎ）が、磁界駆動信号ＣＬＫの電圧変化に応じた磁界φ１を発生する。ペンＰｅｎが、磁界発生コイルＧＸ（ｎ）に近接していれば、磁界発生コイルＧＸ（ｎ）とコイルＬ１との間は電磁結合され、磁界φ１によってコイルＬ１に相互誘導による誘起電圧が発生し、容量素子Ｃが充電される。
【００２６】
磁界検出期間では、図１に示した検出電極ＲＬ（０）〜ＲＬ（ｐ）を用いて磁界の検出が行われる。互いに平行に配置された検出電極ＲＬ（０）〜ＲＬ（ｐ）のうち、互いに離間する所定の検出電極同士を選択して直列に接続し、磁界検出コイルを構成する。例えば、検出電極ＲＬ（０）とＲＬ（３）とを図１の上側の端部同士で電気的に接続して構成した磁界検出コイルは検出電極ＲＬ（１）、ＲＬ（２）の領域を中心に磁界を検出する。
【００２７】
図２（Ｂ）において、ＤＹ（ｎ−２）は、検出電極ＲＬ（０）、ＲＬ（３）によって構成された磁界検出コイルを示しており、ＤＹ（ｎ−１）〜ＤＹ（ｎ＋１）は、同様に検出電極ＲＬ（２）〜ＲＬ（ｐ）によって構成された磁界検出コイルを示している。磁界検出期間のとき、磁界検出コイルＤＹ（ｎ−１）〜ＤＹ（ｎ＋１）のそれぞれの一方の端部に、第１電圧Ｖｓが供給され、それぞれの他方の端部における信号Ｒｘ（ｎ−２）〜Ｒｘ（ｎ＋１）が、単位検出回路に供給される。
【００２８】
磁界発生期間において、容量素子Ｃに充電が行われていれば、磁界検出期間のとき、ペンに内蔵されたコイルＬ１は、容量素子Ｃに充電されている電荷に従って、共振回路の共振周波数に応じて変化する磁界φ２を発生する。図２（Ｂ）では、磁界検出コイルＤＹ（ｎ）の内側にペンがある、すなわち、コイルＬ１の中心（一点鎖線）が存在している。そのため、磁界検出コイルＤＹ（ｎ）とコイルＬ１との間で電磁結合が発生し、相互誘導によって、磁界検出コイルＤＹ（ｎ）に誘起電圧が発生する。その結果、磁界検出コイルＤＹ（ｎ）の他方の端部における信号Ｒｘ（ｎ）は、容量素子Ｃに充電されている電荷量に応じて変化することになる。磁界検出コイルＤＹ（ｎ）に接続された単位検出回路は、この信号Ｒｘ（ｎ）の変化を検出信号として出力する。これにより、ペンＰｅｎが近接（タッチ）しているか否か、および座標を抽出することが可能となる。また、電荷量に応じて検出信号が変化するため、ペンＰｅｎとの距離を求めることが可能となる。
【００２９】
図２（Ｃ）は、図２（Ｂ）に続いて移行した磁界発生期間を示している。図２（Ａ）と異なるのは、磁界発生コイルＧＸ（ｎ＋１）に磁界駆動信号ＣＬＫが供給されていることである。ペンＰｅｎの位置は変化していないため、図２（Ｃ）に示した磁界発生期間においては、コイルＬ１に誘起電圧が発生せず、容量素子Ｃは充電されない。これにより、図２（Ｃ）に続いて移行する磁界検出期間においては、ペンＰｅｎが近接していないと検出される。以降、同様にして、ペンＰｅｎの検出が行われる。
【００３０】
＜電界検出の原理＞
図３は、電界検出の原理を示す説明図である。図３（Ａ）において、１２−０〜１２−ｐのそれぞれは、電界駆動信号を出力する単位駆動回路を示し、１３−０〜１３−ｐのそれぞれは、単位検出回路を示している。また、図３（Ａ）において、実線の○で囲んだパルス信号は、駆動電極ＴＬ（２）へ供給される電界駆動信号Ｔｘ（２）の波形を示している。外部物体として、指がＦＧとして示されている。
【００３１】
駆動電極ＴＬ（２）に、電界駆動信号Ｔｘ（２）が供給されると、図３（Ｂ）に示すように、駆動電極ＴＬ（２）と、この駆動電極ＴＬ（２）と直交する検出電極ＲＬ（ｎ）との間で電界が発生する。このとき、指ＦＧが、駆動電極ＴＬ（２）の近傍をタッチしていると、指ＦＧと駆動電極ＴＬ（２）との間でも電界が発生し、駆動電極ＴＬ（２）と検出電極ＲＬ（ｎ）との間で発生している電界が減少する。これにより、駆動電極ＴＬ（２）と検出電極ＲＬ（ｎ）との間の電荷量が減少する。その結果、図３（Ｃ）に示すように、駆動信号Ｔｘ（２）の供給に応答して生じる電荷量は、指ＦＧがタッチしているときは、タッチしていないときに比べてΔＱだけ減少する。電荷量の差は、電圧の差として表れ、単位検出回路１３−ｎに供給され、検出信号として出力される。
【００３２】
他の駆動電極についても、同様にして、電界駆動信号を供給することにより、指ＦＧがタッチしているか否かに応じた信号の電圧変化が、検出電極ＲＬ（０）〜ＲＬ（ｐ）に生じ、検出信号として出力されることになる。これにより、指ＦＧがタッチしているか否か、および座標を抽出することが可能となる。
【００３３】
なお、表示動作中においては、図１に示した駆動電極ＴＬ（０）〜ＴＬ（ｐ）が例えば共通電極として機能し、全ての駆動電極に同一の表示駆動信号が供給される。
【００３４】
＜表示装置の全体構成＞
図４は、実施の形態１に係わる表示装置１の構成を示すブロック図である。図４において、表示装置１は、表示パネル（液晶パネル）、制御装置３、ゲートドライバ４（ゲートドライバ４Ｌ、４Ｒ）およびタッチ制御装置５を備えている。また、表示装置１は、第１駆動回路ＤＲＶＬ、ＤＲＶＲ、第２駆動回路ＤＲＶＵ、ＤＲＶＤおよび検出回路ＤＥＴを備えている。表示パネルは、表示を行う表示領域とその周辺の額縁領域とを備えている。表示と言う観点で見た場合、表示領域はアクティブ領域であり、表示領域を包囲する額縁領域は非アクティブ領域である。図４では、２が、表示領域である。また、この表示領域２は、電磁誘導方式による磁界タッチ検出および静電容量方式による電界タッチ検出の検出領域である。
【００３５】
表示領域２は、複数の画素が行列状に配置された画素配列を有している。画素配列には、複数の信号線、複数の画素電極、複数の第１駆動電極、複数の走査線および複数の検出電極が配置されている。図４を参照して述べると、画素配列において、信号線ＳＬ（０）〜ＳＬ（ｐ）は、縦方向（列方向）に延在し、横方向（行方向）に平行に配置されている。また、第１駆動電極ＴＬ（０）〜ＴＬ（ｐ）は、横方向に延在し、縦方向に平行に配置されている。画素電極はマトリクス状に配置されている。さらに、走査線は、横方向に延在し、縦方向に平行に配置され、検出電極ＲＬ（０）〜ＲＬ（ｐ）は、縦方向に延在し、横方向に平行に配置されている。この場合、画素は、かかる複数の信号線と複数の走査線とが交差することにより形成される空間に配置されている。表示の期間（表示期間）においては、信号線と走査線により、画素が選択され、選択された画素には、そのときの信号線を介して供給される画素電極の電圧と、第１駆動電極の電圧が印加され、画素電極と第１駆動電極との間の電圧差に従った表示が行われる。
【００３６】
制御装置３は、外部端子Ｔｔに供給されるタイミング信号と入力端子Ｔｉに供給される画像情報とを受け、表示期間のとき、画像情報に従った画像信号を形成し、複数の信号線ＳＬ（０）〜ＳＬ（ｐ）に供給する。また、制御装置３は、外部端子Ｔｔに供給されるタイミング信号とタッチ制御装置５からの制御信号ＳＷとを受け、種々の信号を形成する。図４には、制御装置３により形成される信号のうち、説明に必要な信号のみが、代表として描かれている。すなわち、制御装置３は、同期信号ＴＳＨＤおよび制御信号ＣＮＴＬ、ＣＮＴＲを形成する。また、特に制限されないが、制御装置３は、駆動信号ＴＰＬ、ＴＳＶを形成する。
【００３７】
同期信号ＴＳＨＤは、表示領域２において表示を行う表示期間とタッチ検出を行うタッチ検出期間とを識別する同期信号である。制御装置３は、この同期信号ＴＳＨＤによって、タッチ制御装置５が、タッチ検出期間の際に動作するように制御する。
【００３８】
ゲートドライバ４は、表示のとき、制御装置３からのタイミング信号に従って走査線信号Ｖｓｓ０〜Ｖｓｓｐを形成し、表示領域２内の走査線に供給する。表示期間においては、ハイレベルの走査線信号が供給されている走査線に接続されている画素が選択され、選択された画素は、そのとき信号線ＳＬ（０）〜ＳＬ（ｐ）に供給されている画像信号に従った表示を行う。
【００３９】
検出回路ＤＥＴは、電磁誘導方式による磁界タッチ検出および静電容量方式による電界タッチ検出の際に、検出電極ＲＬ（０）〜ＲＬ（ｐ）における信号の変化を検出し、検出信号Ｒｘ（０）〜Ｒｘ（ｐ）として出力する。
【００４０】
タッチ制御装置５は、検出信号Ｒｘ（０）〜Ｒｘ（ｐ）を受け、タッチされた位置の座標を抽出し、外部端子Ｔｏから出力する。また、タッチ制御装置５は、制御信号ＳＷを出力するとともに、同期信号ＴＳＨＤを受け、制御装置３に同期して動作する。
【００４１】
表示領域２は、画素配列の行に平行した辺２−Ｕ、２−Ｄと、画素配列の列に平行した辺２−Ｒ、２−Ｌを有している。ここで、辺２−Ｕと辺２−Ｄは、互いに対向した辺であり、この２辺の間に、画素配列における複数の第１駆動電極ＴＬ（０）〜ＴＬ（ｐ）と複数の走査線が配置されている。また、辺２−Ｒと辺２−Ｌも、互いに対向した辺であり、この２辺の間に、画素配列における複数の信号線ＳＬ（０）〜ＳＬ（ｐ）と複数の検出電極ＲＬ（０）〜ＲＬ（ｐ）が配置されている。
【００４２】
第１駆動回路ＤＲＶＬは、表示領域２の辺２−Ｌに沿って配置され、第１駆動電極ＴＬ（０）〜ＴＬ（ｐ）のそれぞれの一方の端部に接続されている。同様に、第１駆動回路ＤＲＶＲは、表示領域２の辺２−Ｒに沿って配置され、第１駆動電極ＴＬ（０）〜ＴＬ（ｐ）のそれぞれの他方の端部に接続されている。
【００４３】
第１駆動回路ＤＲＶＬ、ＤＲＶＲは、第１駆動電極ＴＬ（０）〜ＴＬ（ｐ）に駆動電圧を供給する信号配線ＴＰＬＬ、ＴＳＶＬ、ＴＰＬＲ、ＴＳＶＲと第１駆動電極とを接続する第１スイッチ（図９および図１０に図示するＳ１Ｌ、Ｓ２Ｌ、Ｓ１Ｒ、Ｓ２Ｒ）と、第１スイッチを切り替えて第１駆動電極を選択する第１選択回路（図９および図１０に図示するＳＥＬ（０）〜ＳＥＬ（ｐ）、ＳＥＲ（０）〜ＳＥＲ（ｐ））とを備えている。第１選択回路は、制御信号ＣＮＴＬ、ＣＮＴＲに基づいて、磁界タッチ検出および電界タッチ検出のとき、第１駆動電極ＴＬ（０）〜ＴＬ（ｐ）から、所望の第１駆動電極を選択する選択信号を形成する。この選択信号により第１スイッチを切り替えて第１駆動電極を選択する。
【００４４】
第１駆動回路ＤＲＶＬ、ＤＲＶＲは、磁界タッチ検出のとき、第１駆動電極ＴＬ（０）〜ＴＬ（ｐ）から、所望の第１駆動電極を選択し、選択した第１駆動電極に磁界駆動信号を供給し、電界タッチ検出のときにも、所望の第１駆動電極を選択し、選択した第１駆動電極に電界駆動信号を供給する。
【００４５】
表示領域２の外部の額縁領域（上辺額縁領域）には、磁界発生用ダミー駆動電極である第２駆動電極ＴＬ（ｄＵ）が配置されている。同様に、表示領域２の外部の額縁領域（下辺額縁領域）には、磁界発生用ダミー駆動電極である第２駆動電極ＴＬ（ｄＤ）が配置されている。
【００４６】
ここで、磁界発生用ダミー駆動電極とは、第１駆動電極ＴＬ（０）〜ＴＬ（ｐ）と異なり、表示領域２の外側に配置され、磁界発生動作のみを行って表示動作を行わない駆動電極であることを意味する。また、必ずしも限定されるものではないが、電界発生動作も行わない。
【００４７】
第２駆動回路ＤＲＶＵは、表示領域２の辺２−Ｕに沿って配置され、第２駆動電極ＴＬ（ｄＵ）の一方の端部および他方の端部に接続されている。同様に、第２駆動回路ＤＲＶＤは、表示領域２の辺２−Ｄに沿って配置され、第２駆動電極ＴＬ（ｄＤ）の一方の端部および他方の端部に接続されている。
【００４８】
第２駆動回路ＤＲＶＵ、ＤＲＶＤも、第１駆動回路ＤＲＶＬ、ＤＲＶＲと同様に、第２駆動電極ＴＬ（ｄＵ）、ＴＬ（ｄＤ）に駆動電圧を供給する信号配線ＴＰＬＬ、ＴＳＶＬ、ＴＰＬＲ、ＴＳＶＲと第２駆動電極とを接続する第２スイッチ（図９および図１０に図示するＳ１Ｌ、Ｓ２Ｌ、Ｓ１Ｒ、Ｓ２Ｒ）と、第２スイッチを切り替えて第２駆動電極を選択する第２選択回路（図９および図１０に図示するＳＥＬ（ｄＵ）、ＳＥＲ（ｄＵ）、ＳＥＬ（ｄＤ）、ＳＥＲ（ｄＤ））とを備えている。第２選択回路は、制御信号ＣＮＴＬ、ＣＮＴＲに基づいて、磁界タッチ検出および電界タッチ検出のとき、第２駆動電極ＴＬ（ｄＵ）、ＴＬ（ｄＤ）から、所望の第２駆動電極を選択する選択信号を形成する。この選択信号により第２スイッチを切り替えて第２駆動電極を選択する。
【００４９】
第２駆動回路ＤＲＶＵは、磁界タッチ検出期間において第２駆動電極ＴＬ（ｄＵ）を選択し、磁界駆動信号を供給する。第２駆動回路ＤＲＶＤは、第２駆動電極ＴＬ（ｄＤ）を選択し、磁界駆動信号を供給する。
【００５０】
図４において、ＴＰＬＬ、ＴＰＬＲおよびＴＳＶＬ、ＴＳＶＲのそれぞれは、信号配線を示している。信号配線ＴＰＬＬおよびＴＳＶＬは、表示領域２の辺２−Ｌに沿って延在している。この信号配線ＴＰＬＬおよびＴＳＶＬは、表示領域２の辺２−Ｕ、２−Ｄに沿って延在している端部を含む。同様に、信号配線ＴＰＬＲおよびＴＳＶＲは、表示領域２の辺２−Ｒに沿って延在している。この信号配線ＴＰＬＲおよびＴＳＶＲは、表示領域２の辺２−Ｕ、２−Ｄに沿って延在している端部を含む。
【００５１】
第１駆動回路ＤＲＶＬは、磁界タッチ検出および電界タッチ検出のとき、選択した第１駆動電極を、信号配線ＴＰＬＬまたはＴＳＶＬに接続する。同様に、第１駆動回路ＤＲＶＲは、磁界タッチ検出および電界タッチ検出のとき、選択した第１駆動電極を、信号配線ＴＰＬＲまたはＴＳＶＲに接続する。第２駆動回路ＤＲＶＵ、ＤＲＶＤも、磁界タッチ検出のとき、選択した第２駆動電極を、信号配線ＴＰＬＬまたはＴＳＶＬ、信号配線ＴＰＬＲまたはＴＳＶＲに接続する。
【００５２】
制御装置３によって形成された駆動信号ＴＰＬおよびＴＳＶが、信号配線ＴＰＬＬ、ＴＰＬＲおよびＴＳＶＬ、ＴＳＶＲのそれぞれの端部に供給される。磁界タッチ検出のときには、信号配線ＴＰＬＬ、ＴＰＬＲおよびＴＳＶＬ、ＴＳＶＲを伝搬している駆動信号ＴＰＬおよびＴＳＶが、選択した第１駆動電極および第２駆動電極に供給され、磁界が発生する。また、電界タッチ検出の際には、信号配線ＴＰＬＬ、ＴＰＬＲおよびＴＳＶＬ、ＴＳＶＲを伝搬している駆動信号ＴＰＬおよびＴＳＶが、選択した第１駆動電極および第２駆動電極に供給され、電界が発生する。
【００５３】
＜表示装置のモジュール構成＞
図５は、実施の形態１に係わる表示装置１を実装したモジュール５００の全体構成を示す模式的な平面図である。模式的ではあるが、図５は、実際の配置に合わせて描かれている。同図において、５０１は、図１で示した第１基板ＴＧＢの領域を示し、５０２は、第１基板ＴＧＢと第２基板ＣＧＢとが積層された領域を示している。モジュール５００において、第１基板ＴＧＢは、領域５０１と５０２において一体となっている。また、領域５０２では、第１基板ＴＧＢの第１主面ＴＳＦ１と第２基板ＣＧＢの第２主面ＣＳＦ２とが対向するように、第１基板ＴＧＢに第２基板ＣＧＢが搭載されている。また、図５において、５００−Ｕ、５００−Ｄは、モジュール５００の短辺を示しており、５００−Ｌ、５００−Ｒは、モジュール５００の長辺を示している。例えば、制御装置３は、ドライバＩＣであって、検出回路ＤＥＴは、ドライバＩＣに内蔵されてもよい。
【００５４】
領域５０２であって、表示領域２の辺２−Ｌとモジュール５００の辺５００−Ｌとの間の左辺額縁領域には、図４で示したゲートドライバ４Ｌ、第１駆動回路ＤＲＶＬが配置されている。表示領域２の辺２−Ｒとモジュール５００の辺５００−Ｒとの間の右辺額縁領域には、図４で示したゲートドライバ４Ｒ、第１駆動回路ＤＲＶＲが配置されている。表示領域２の辺２−Ｕとモジュール５００の辺５００−Ｕとの間の上辺額縁領域には、図４で示した第２駆動回路ＤＲＶＵが配置されている。表示領域２の辺２−Ｄとモジュール５００の辺５００−Ｄとの間の下辺額縁領域には、図４で示した第２駆動回路ＤＲＶＤ、検出回路ＤＥＴおよび制御装置３が配置されている。検出回路ＤＥＴは、領域５０１の第１基板ＴＧＢの第１主面ＴＳＦ１に形成された配線および部品により構成されている。平面視で見たとき、検出回路ＤＥＴを覆うように、制御装置３が、第１基板ＴＧＢに実装されている。また、第１駆動回路ＤＲＶＬ、ＤＲＶＲおよび第２駆動回路ＤＲＶＵ、ＤＲＶＤを構成する配線および部品も、領域５０２における第１基板ＴＧＢの第１主面ＴＳＦ１に形成されている。
【００５５】
図４において説明した検出信号Ｒｘ（０）〜Ｒｘ（ｐ）は、フレキシブルケーブルＦＢ１内の配線を介して、タッチ制御装置５に供給される。領域５０１には、フレキシブルケーブルＦＢ２が接続されており、このフレキシブルケーブルＦＢ２に設けられたコネクタＣＮを介して、タッチ制御装置５と制御装置３との間で信号の送受信が行われる。
【００５６】
表示領域２には、既に述べたように、複数の画素が行列状に配列された画素配列を有しており、画素配列の行に沿って配置された複数の第１駆動電極ＴＬ（０）〜ＴＬ（ｐ）および走査線と、画素配列の列に沿って配置された複数の信号線ＳＬ（０）〜ＳＬ（ｐ）と複数の検出電極ＲＬ（０）〜ＲＬ（ｐ）とを備えている。図５には、例として、２個の第１駆動電極ＴＬ（ｎ）、ＴＬ（ｍ）と２個の信号線ＳＬ（ｋ）、ＳＬ（ｎ）と３個の検出電極ＲＬ（ｎ−２）〜ＲＬ（ｎ）が示されている。なお、図５では、走査線は、省略されているが、走査線は、例示した第１駆動電極ＴＬ（ｎ）、ＴＬ（ｍ）と平行して、延在している。
【００５７】
また、図５には、画素配列が、破線ＰＤＭとして示されており、画素配列ＰＤＭに配置されている複数の画素のうち、表示領域２の４個の角に配置されている画素と、例示した第１駆動電極および信号線との交差部に配置された画素が、Ｐｉｘとして示されている。
【００５８】
表示領域２の外部の上辺額縁領域および下辺額縁領域には、既に述べたように、磁界発生用ダミー駆動電極である第２駆動電極ＴＬ（ｄＵ）およびＴＬ（ｄＤ）が表示領域２の第１駆動電極ＴＬ（０）〜ＴＬ（ｐ）と平行して、延在している。第１駆動電極ＴＬ（０）〜ＴＬ（ｐ）と第２駆動電極ＴＬ（ｄＵ）およびＴＬ（ｄＤ）の延在方向、すなわち、横方向を第１方向として見た場合、この第１方向と直交（交差を含む）する縦方向である第２方向に、第１駆動電極ＴＬ（０）〜ＴＬ（ｐ）と第２駆動電極ＴＬ（ｄＵ）およびＴＬ（ｄＤ）が配列されている。
【００５９】
図４に示した信号配線ＴＰＬＬおよびＴＳＶＬのそれぞれは、左辺額縁領域において、第２方向に延在している。この信号配線ＴＰＬＬおよびＴＳＶＬは、上辺額縁領域および下辺額縁領域において、第１方向に延在している端部を含む。同様に、信号配線ＴＰＬＲおよびＴＳＶＲのそれぞれは、右辺額縁領域において、第２方向に延在している。この信号配線ＴＰＬＲおよびＴＳＶＲは、上辺額縁領域および下辺額縁領域において、第１方向に延在している端部を含む。
【００６０】
＜表示装置の動作＞
図６〜図１０により、実施の形態１に係わる表示装置１の動作について説明する。図６は、実施の形態１に係わる表示装置１の構成を示す平面図である。
【００６１】
図６において、ＴＬ（０）〜ＴＬ（ｐ）は、表示領域２の辺２−Ｕと辺２−Ｄとの間に、互いに平行に配置された第１駆動電極を示している。また、ＴＬ（ｄＵ）は、表示領域２の外部の領域（上辺額縁領域）であって、辺２−Ｕに沿って配置された第２駆動電極（磁界発生用ダミー駆動電極）を示しており、ＴＬ（ｄＤ）は、表示領域２の外部の領域（下辺額縁領域）であって、辺２−Ｄに沿って配置された第２駆動電極（磁界発生用ダミー駆動電極）を示している。
【００６２】
また、図６において、ＵＤＬ（０）〜ＵＤＬ（ｐ）およびＵＤＲ（０）〜ＵＤＲ（ｐ）のそれぞれは、単位駆動回路を示している。単位駆動回路ＵＤＬ（０）〜ＵＤＬ（ｐ）のそれぞれは、表示領域２の辺２−Ｌに沿って配置されており、第１駆動電極ＴＬ（０）〜ＴＬ（ｐ）に対応している。単位駆動回路ＵＤＬ（０）〜ＵＤＬ（ｐ）は、第１駆動回路ＤＲＶＬを構成する回路である。また、単位駆動回路ＵＤＲ（０）〜ＵＤＲ（ｐ）のそれぞれは、表示領域２の辺２−Ｒに沿って配置されており、第１駆動電極ＴＬ（０）〜ＴＬ（ｐ）に対応している。単位駆動回路ＵＤＲ（０）〜ＵＤＲ（ｐ）は、第１駆動回路ＤＲＶＲを構成する回路である。
【００６３】
また、ＵＤＬ（ｄＵ）、ＵＤＲ（ｄＵ）、ＵＤＬ（ｄＤ）およびＵＤＲ（ｄＤ）のそれぞれは、単位駆動回路を示している。単位駆動回路ＵＤＬ（ｄＵ）およびＵＤＲ（ｄＵ）のそれぞれは、表示領域２の辺２−Ｕに沿って配置されており、第２駆動電極ＴＬ（ｄＵ）に対応している。単位駆動回路ＵＤＬ（ｄＵ）およびＵＤＲ（ｄＵ）は、第２駆動回路ＤＲＶＵを構成する回路である。単位駆動回路ＵＤＬ（ｄＤ）およびＵＤＲ（ｄＤ）のそれぞれは、表示領域２の辺２−Ｄに沿って配置されており、第２駆動電極ＴＬ（ｄＤ）に対応している。単位駆動回路ＵＤＬ（ｄＤ）およびＵＤＲ（ｄＤ）は、第２駆動回路ＤＲＶＤを構成する回路である。
【００６４】
図７および図８は、実施の形態１に係わる表示装置１の動作を示す平面図である。また、図９および図１０は、実施の形態１に係わる駆動回路と駆動電極の構成を示す平面図である。図７および図９は、表示領域２の辺２−Ｕに最も近接して配置された第１駆動電極ＴＬ（０）において磁界を発生する場合を示す。図８および図１０は、表示領域２の辺２−Ｄに最も近接して配置された第１駆動電極ＴＬ（ｐ）において磁界を発生する場合を示す。
【００６５】
図９および図１０において、単位駆動回路ＵＤＬ（０）〜ＵＤＬ（ｐ）、ＵＤＲ（０）〜ＵＤＲ（ｐ）、ＵＤＬ（ｄＵ）、ＵＤＲ（ｄＵ）、ＵＤＬ（ｄＤ）およびＵＤＲ（ｄＤ）のそれぞれは、選択回路ＳＥＬ（０）〜ＳＥＬ（ｐ）、ＳＥＲ（０）〜ＳＥＲ（ｐ）、ＳＥＬ（ｄＵ）、ＳＥＲ（ｄＵ）、ＳＥＬ（ｄＤ）およびＳＥＲ（ｄＤ）と、これらの選択回路のそれぞれに対応する一対のスイッチＳ１Ｌ、Ｓ２Ｌ、Ｓ１ＲおよびＳ２Ｒを備えている。選択回路ＳＥＬ（０）〜ＳＥＬ（ｐ）およびＳＥＲ（０）〜ＳＥＲ（ｐ）と、これらの選択回路のそれぞれに対応する一対のスイッチＳ１Ｌ、Ｓ２Ｌ、Ｓ１ＲおよびＳ２Ｒは、第１駆動回路ＤＲＶＬ、ＤＲＶＲを構成する第１選択回路と第１スイッチである。選択回路ＳＥＬ（ｄＵ）、ＳＥＲ（ｄＵ）、ＳＥＬ（ｄＤ）およびＳＥＲ（ｄＤ）と、これらの選択回路のそれぞれに対応する一対のスイッチＳ１Ｌ、Ｓ２Ｌ、Ｓ１ＲおよびＳ２Ｒは、第２駆動回路ＤＲＶＵ、ＤＲＶＤを構成する第２選択回路と第２スイッチである。
【００６６】
選択回路ＳＥＬ（０）〜ＳＥＬ（ｐ）、ＳＥＲ（０）〜ＳＥＲ（ｐ）、ＳＥＬ（ｄＵ）、ＳＥＲ（ｄＵ）、ＳＥＬ（ｄＤ）およびＳＥＲ（ｄＤ）のそれぞれは、選択信号により、各選択回路に対応するスイッチＳ１Ｌ、Ｓ２Ｌ、Ｓ１ＲおよびＳ２Ｒを切り替えて、対応する第１駆動電極ＴＬ（０）〜ＴＬ（ｐ）、第２駆動電極ＴＬ（ｄＵ）およびＴＬ（ｄＤ）を選択する。各選択回路に対応するスイッチＳ１Ｌ、Ｓ２Ｌ、Ｓ１ＲおよびＳ２Ｒのそれぞれは、対応する選択回路からの選択信号によりオン状態となる。
【００６７】
選択回路ＳＥＬ（０）〜ＳＥＬ（ｐ）、ＳＥＬ（ｄＵ）およびＳＥＬ（ｄＤ）に対応するスイッチＳ１Ｌは、選択信号によりオン状態となることで、信号配線ＴＰＬＬと、対応する第１駆動電極ＴＬ（０）〜ＴＬ（ｐ）、第２駆動電極ＴＬ（ｄＵ）およびＴＬ（ｄＤ）の一方の端部ｎ１とを接続する。選択回路ＳＥＬ（０）〜ＳＥＬ（ｐ）、ＳＥＬ（ｄＵ）およびＳＥＬ（ｄＤ）に対応するスイッチＳ２Ｌは、選択信号によりオン状態となることで、信号配線ＴＳＶＬと、対応する第１駆動電極ＴＬ（０）〜ＴＬ（ｐ）、第２駆動電極ＴＬ（ｄＵ）およびＴＬ（ｄＤ）の一方の端部ｎ１とを接続する。
【００６８】
選択回路ＳＥＲ（０）〜ＳＥＲ（ｐ）、ＳＥＲ（ｄＵ）およびＳＥＲ（ｄＤ）に対応するスイッチＳ１Ｒは、選択信号によりオン状態となることで、信号配線ＴＰＬＲと、対応する第１駆動電極ＴＬ（０）〜ＴＬ（ｐ）、第２駆動電極ＴＬ（ｄＵ）およびＴＬ（ｄＤ）の他方の端部ｎ２とを接続する。選択回路ＳＥＲ（０）〜ＳＥＲ（ｐ）、ＳＥＲ（ｄＵ）およびＳＥＲ（ｄＤ）に対応するスイッチＳ２Ｒは、選択信号によりオン状態となることで、信号配線ＴＳＶＲと、対応する第１駆動電極ＴＬ（０）〜ＴＬ（ｐ）、第２駆動電極ＴＬ（ｄＵ）およびＴＬ（ｄＤ）の他方の端部ｎ２とを接続する。
【００６９】
この実施の形態１において、信号配線ＴＰＬＬおよびＴＰＬＲに供給する駆動信号ＴＰＬは、直流電圧である。この直流電圧の駆動信号ＴＰＬは、例えば接地電圧のような第１電圧Ｖｓの信号である。また、信号配線ＴＳＶＬおよびＴＳＶＲに供給する駆動信号ＴＳＶは、交流電圧である。この交流電圧の駆動信号ＴＳＶは、例えば接地電圧のような第１
電圧Ｖｓと、この第１電圧Ｖｓより高い第２電圧Ｖｄとの間で交互に振幅する信号である。
【００７０】
図７および図９は、表示領域２の辺２−Ｕに最も近接して配置された第１駆動電極ＴＬ（０）において磁界を発生する場合を示す平面図である。磁界発生期間において、磁界を発生する領域に対応する第１駆動電極ＴＬ（０）を挟むように離間して配置された２個の第２駆動電極ＴＬ（ｄＵ）および第１駆動電極ＴＬ（１）が、対応する単位駆動回路ＵＤＬ（ｄＵ）、ＵＤＲ（ｄＵ）、ＵＤＬ（１）およびＵＤＲ（１）によって選択される。
【００７１】
この時、第２駆動電極ＴＬ（ｄＵ）と、第１駆動電極ＴＬ（１）とに互いに逆向きの電流が流れるように、各単位駆動回路を制御することで、第２駆動電極ＴＬ（ｄＵ）と、第１駆動電極ＴＬ（１）に挟まれた領域を中心として磁界を発生することができる。
【００７２】
すなわち、この時、第２駆動電極ＴＬ（ｄＵ）と、第１駆動電極ＴＬ（１）とにより、図２で説明した磁界発生コイルが構成しているとみなすことができる。図２では、互いに離間して配置された駆動電極をどちらかの端部で直列に接続してループ状のコイルを形成したが、図７のように、互いに平行に配置された第２駆動電極ＴＬ（ｄＵ）と、第１駆動電極ＴＬ（１）とが、直接電気的に接続されていなくても、互いに逆向きの電流が流れることにより強い磁界を形成することができる。このような表示装置は、ペンに電池が不要であるとともに、表示領域面内での検出感度が均一である。
【００７３】
単位駆動回路ＵＤＬ（ｄＵ）は、選択回路ＳＥＬ（ｄＵ）の選択信号によりスイッチＳ２Ｌをオンにして、選択した第２駆動電極ＴＬ（ｄＵ）を、信号配線ＴＳＶＬに接続する。同様に、単位駆動回路ＵＤＲ（ｄＵ）は、選択回路ＳＥＲ（ｄＵ）の選択信号によりスイッチＳ１Ｒをオンにして、選択した第２駆動電極ＴＬ（ｄＵ）を、信号配線ＴＰＬＲに接続する。選択した第２駆動電極ＴＬ（ｄＵ）は、一方の端部ｎ１に、信号配線ＴＳＶＬから第２電圧Ｖｄが供給され、他方の端部ｎ２に、信号配線ＴＰＬＲから第１電圧Ｖｓが供給される。図９では、第２電圧Ｖｄが＋で示されており、第１電圧Ｖｓが０で示されている。
【００７４】
同時に、単位駆動回路ＵＤＲ（１）は、選択回路ＳＥＲ（１）の選択信号によりスイッチＳ２Ｒをオンにして、選択した第１駆動電極ＴＬ（１）を、信号配線ＴＳＶＲに接続する。同様に、単位駆動回路ＵＤＬ（１）は、選択回路ＳＥＬ（１）の選択信号によりスイッチＳ１Ｌをオンにして、選択した第１駆動電極ＴＬ（１）を、信号配線ＴＰＬＬに接続する。選択した第１駆動電極ＴＬ（１）は、他方の端部ｎ２に、信号配線ＴＳＶＲから第２電圧Ｖｄが供給され、一方の端部ｎ１に、信号配線ＴＰＬＬから第１電圧Ｖｓが供給される。
【００７５】
これにより、第２駆動電極ＴＬ（ｄＵ）に、その一方の端部ｎ１から他方の端部ｎ２に向けて電圧差によって矢印の電流Ｉ１が流れ、磁界φ１が発生する。同時に、第１駆動電極ＴＬ（１）に、その他方の端部ｎ２から一方の端部ｎ１に向けて電圧差によって矢印の電流Ｉ２が流れ、磁界φ２が発生する。第２駆動電極ＴＬ（ｄＵ）によって発生した磁界φ１と、第１駆動電極ＴＬ（１）によって発生した磁界φ２が、第１駆動電極ＴＬ（０）の領域において、重畳されることになり、強い磁界を第１駆動電極ＴＬ（０）の領域で発生させることが可能となる。この結果、表示領域２の辺２−Ｕに最も近接して配置された第１駆動電極ＴＬ（０）を中心として磁界を発生させるときに、表示領域２の中央付近、例えば第１駆動電極ＴＬ（４）等と同程度の強度の磁界を発生させることが可能となる。
【００７６】
このようにして表示装置内で磁界を発生し、コイルと容量素子とを内蔵したペンをこの表示装置の表示領域に近接した時に、コイルの容量素子が充電されて磁界を発生し、この磁界を例えば表示装置に配置された検出電極ＲＬで検出することにより、ペンの有無及び座標を算出する。
【００７７】
図８および図１０は、表示領域２の辺２−Ｄに最も近接して配置された第１駆動電極ＴＬ（ｐ）において磁界を発生する場合を示す平面図である。磁界発生期間において、磁界を発生する領域に対応する第１駆動電極ＴＬ（ｐ）を挟むように配置された２個の第１駆動電極ＴＬ（ｐ−１）および第２駆動電極ＴＬ（ｄＤ）が、対応する単位駆動回路ＵＤＬ（ｐ−１）、ＵＤＲ（ｐ−１）、ＵＤＬ（ｄＤ）およびＵＤＲ（ｄＤ）によって選択される。
【００７８】
単位駆動回路ＵＤＬ（ｐ−１）は、選択回路ＳＥＬ（ｐ−１）の選択信号によりスイッチＳ２Ｌをオンにして、選択した第１駆動電極ＴＬ（ｐ−１）を、信号配線ＴＳＶＬに接続する。同様に、単位駆動回路ＵＤＲ（ｐ−１）は、選択回路ＳＥＲ（ｐ−１）の選択信号によりスイッチＳ１Ｒをオンにして、選択した第１駆動電極ＴＬ（ｐ−１）を、信号配線ＴＰＬＲに接続する。選択した第１駆動電極ＴＬ（ｐ−１）は、一方の端部ｎ１に、信号配線ＴＳＶＬから第２電圧Ｖｄが供給され、他方の端部ｎ２に、信号配線ＴＰＬＲから第１電圧Ｖｓが供給される。図１０では、第２電圧Ｖｄが＋で示されており、第１電圧Ｖｓが０で示されている。
【００７９】
同時に、単位駆動回路ＵＤＲ（ｄＤ）は、選択回路ＳＥＲ（ｄＤ）の選択信号によりスイッチＳ２Ｒをオンにして、選択した第２駆動電極ＴＬ（ｄＤ）を、信号配線ＴＳＶＲに接続する。同様に、単位駆動回路ＵＤＬ（ｄＤ）は、選択回路ＳＥＬ（ｄＤ）の選択信号によりスイッチＳ１Ｌをオンにして、選択した第２駆動電極ＴＬ（ｄＤ）を、信号配線ＴＰＬＬに接続する。選択した第２駆動電極ＴＬ（ｄＤ）は、他方の端部ｎ２に、信号配線ＴＳＶＲから第２電圧Ｖｄが供給され、一方の端部ｎ１に、信号配線ＴＰＬＬから第１電圧Ｖｓが供給される。
【００８０】
これにより、第１駆動電極ＴＬ（ｐ−１）に、その一方の端部ｎ１から他方の端部ｎ２に向けて電圧差によって矢印の電流Ｉ１が流れ、磁界φ１が発生する。同時に、第２駆動電極ＴＬ（ｄＤ）に、その他方の端部ｎ２から一方の端部ｎ１に向けて電圧差によって矢印の電流Ｉ２が流れ、磁界φ２が発生する。第１駆動電極ＴＬ（ｐ−１）によって発生した磁界φ１と、第２駆動電極ＴＬ（ｄＤ）によって発生した磁界φ２が、第１駆動電極ＴＬ（ｐ）の領域において、重畳されることになり、強い磁界を第１駆動電極ＴＬ（ｐ）の領域で発生させることが可能となる。この結果、表示領域２の辺２−Ｄに最も近接して配置された第１駆動電極ＴＬ（ｐ）を中心として磁界を発生させるとき、表示領域２の中央付近にある駆動電極を中心に磁界を発生させるときと同程度の強度の磁界を発生することができる。
【００８１】
この実施の形態１においては、額縁領域に第２駆動電極ＴＬ（ｄＵ）およびＴＬ（ｄＤ）を配置することで、表示領域２（検出領域）において、検出精度が低下する領域を減らし、表示領域２の端部と中央との検出感度を均一にすることが可能となる。例えば、額縁領域の第２駆動電極ＴＬ（ｄＵ）およびＴＬ（ｄＤ）が配置されていない場合には、表示領域２の辺２−Ｕに近接して配置された第１駆動電極ＴＬ（０）を中心に磁界を発生させるとき、この第１駆動電極ＴＬ（０）に近接した駆動電極は、第１駆動電極ＴＬ（１）のみであるため、第１駆動電極ＴＬ（１）だけを選択することとなる。しかし、上述したように、強い磁界を発生させるためには離間して配置される一対の駆動電極を同時に選択し、互いに逆向きに電流を流す必要があり、一本の駆動電極のみでは発生する磁界が弱くなる。同様に、表示領域２の辺２−Ｄに近接して配置された第１駆動電極ＴＬ（ｐ）を中心とした磁界を発生させるとき、この第１駆動電極ＴＬ（ｐ）に近接した駆動電極は、第１駆動電極ＴＬ（ｐ−１）のみとなるため、第１駆動電極ＴＬ（ｐ）を中心として発生する磁界が弱くなる。
【００８２】
一方、表示領域２の中央付近、例えば第１駆動電極ＴＬ（４）などを中心として磁界を発生させるときには第１駆動電極ＴＬ（４）を挟んで一対となる駆動電極ＴＬ（３）、ＴＬ（５）を同時に選択するため、表示領域２の端部と中央とで発生する磁界強度の差が大きくタッチ検出感度が不均一となる。
【００８３】
＜表示装置の回路配置＞
図１１および図１２は、表示装置１の回路配置を説明するための図であり、このうち、図１１は、実施の形態１に係わる表示装置１の回路配置を示す平面図であり、図１２は、変形例に係わる表示装置１の回路配置を示す平面図である。
【００８４】
まず、実施の形態１に係わる表示装置１の回路配置について説明する。図１１は、実施の形態１に係わる表示装置の回路配置を示す平面図である。
【００８５】
図１１において、第１駆動電極ＴＬ（０）〜ＴＬ（ｐ）は、表示領域２において、横方向（第１方向）に延在し縦方向（第２方向）に平行して配置されている。また、第２駆動電極ＴＬ（ｄＵ）は、表示領域２の外部の上辺額縁領域に、横方向に延在して配置され、第２駆動電極ＴＬ（ｄＤ）は、表示領域２の外部の下辺額縁領域に、横方向に延在して配置されている。
【００８６】
また、図１１において、単位駆動回路ＵＤＬ（０）〜ＵＤＬ（ｐ）を構成する選択回路ＳＥＬ（０）〜ＳＥＬ（ｐ）と、これらの選択回路のそれぞれに対応する一対のスイッチＳ１ＬおよびＳ２Ｌは、表示領域２の外部の左辺額縁領域に、縦方向に沿って第１駆動電極ＴＬ（０）〜ＴＬ（ｐ）に対応する位置にそれぞれ配置されている。単位駆動回路ＵＤＲ（０）〜ＵＤＲ（ｐ）を構成する選択回路ＳＥＲ（０）〜ＳＥＲ（ｐ）と、これらの選択回路のそれぞれに対応する一対のスイッチＳ１ＲおよびＳ２Ｒは、表示領域２の外部の右辺額縁領域に、縦方向に沿って第１駆動電極ＴＬ（０）〜ＴＬ（ｐ）に対応する位置にそれぞれ配置されている。なお、表示領域２の外部の左辺額縁領域および右辺額縁領域には、第１駆動電極ＴＬ（０）〜ＴＬ（ｐ）にそれぞれ対応する単位ゲートドライバＵＧＬ（０）〜ＵＧＬ（ｐ）およびＵＧＲ（０）〜ＵＧＲ（ｐ）も配置されている。
【００８７】
また、図１１において、単位駆動回路ＵＤＬ（ｄＵ）およびＵＤＲ（ｄＵ）を構成する選択回路ＳＥＬ（ｄＵ）およびＳＥＲ（ｄＵ）と、これらの選択回路のそれぞれに対応する一対のスイッチＳ１Ｌ、Ｓ２Ｌ、Ｓ１ＲおよびＳ２Ｒは、表示領域２の外部の上辺額縁領域に、横方向に沿ってそれぞれ配置されている。単位駆動回路ＵＤＬ（ｄＤ）およびＵＤＲ（ｄＤ）を構成する選択回路ＳＥＬ（ｄＤ）およびＳＥＲ（ｄＤ）と、これらの選択回路のそれぞれに対応する一対のスイッチＳ１Ｌ、Ｓ２Ｌ、Ｓ１ＲおよびＳ２Ｒは、表示領域２の外部の下辺額縁領域に、横方向に沿ってそれぞれ配置されている。
【００８８】
図１１に示す実施の形態１に係わる表示装置では、表示領域２の外部の上辺額縁領域において、表示領域２の辺２−Ｕに最も近接して第２駆動電極ＴＬ（ｄＵ）を配置し、その上側（モジュール５００の辺５００−Ｕの方向）にスイッチＳ１ＬおよびＳ２Ｌ、スイッチＳ１ＲおよびＳ２Ｒをそれぞれ配置し、さらにその上側に選択回路ＳＥＬ（ｄＵ）、選択回路ＳＥＲ（ｄＵ）をそれぞれ配置している。このような配置によれば、表示領域２の辺２−Ｕとモジュール５００の辺５００−Ｕとの間の長さＬ１１が長くなり、上辺額縁領域の増加の要因となっている。
【００８９】
つまり、実施の形態１に係わる表示装置１では、インセルタイプの表示装置で電磁誘導方式のタッチ検出を行う場合、表示領域２の端部における磁界発生の補助電極として、表示領域２の周辺の上辺額縁領域と下辺額縁領域とに第２駆動電極（磁界発生用ダミー駆動電極）ＴＬ（ｄＵ）およびＴＬ（ｄＤ）を配置している。この場合に、上辺額縁領域に配置された第２駆動電極ＴＬ（ｄＵ）を駆動するための駆動回路を上辺額縁領域に配置しなければならず、上辺額縁領域の増加の要因となる。
【００９０】
そこで、変形例では、インセルタイプの表示装置の場合において、上辺額縁領域の増加を抑制する入力検出装置を有する表示装置を提供するために、図１２に示すような工夫を施している。図１２は、実施の形態１に係わる表示装置１の回路配置を示す平面図である。図１２を用いた説明では、図１１に示した実施の形態１に係わる表示装置と異なる点を主に説明する。
【００９１】
実施の形態１においては、図１２に示すように、上辺額縁領域の第２駆動電極ＴＬ（ｄＵ）の形状およびサイズを工夫して、第２駆動電極ＴＬ（ｄＵ）を駆動する選択回路ＳＥＬ（ｄＵ）およびＳＥＲ（ｄＵ）とスイッチＳ１Ｌ、Ｓ２Ｌ、Ｓ１ＲおよびＳ２Ｒの配置を工夫している。第２駆動電極ＴＬ（ｄＵ）は、第１駆動電極ＴＬ（０）〜ＴＬ（ｐ）と比較した場合に、平面視で見たときに、横方向の長さを短くし、かつ縦方向の長さも短くしている。図１２では、第２駆動電極ＴＬ（ｄＵ）は、横方向の長さＬ２で縦方向の長さＬ３で示しており、第１駆動電極ＴＬ（０）〜ＴＬ（ｐ）は、横方向の長さＬ４で縦方向の長さＬ５で示しており、長さＬ２は長さＬ４より短く、かつ長さＬ３は長さＬ５より短い。さらに、第２駆動電極ＴＬ（ｄＵ）は、平面視で見たときに、長方形の左下角と右下角を切り欠いた、下側に凸となる凸型形状にしている。この第２駆動電極ＴＬ（ｄＵ）の凸型形状の左下角と右下角の切り欠いた部分にスイッチＳ１ＬおよびＳ２Ｌ、スイッチＳ１ＲおよびＳ２Ｒをそれぞれ配置している。また、第２駆動電極ＴＬ（ｄＵ）の横方向の長さを短くして空いた左側と右側の部分に、選択回路ＳＥＬ（ｄＵ）、選択回路ＳＥＲ（ｄＵ）をそれぞれ配置している。
【００９２】
すなわち、第２駆動電極ＴＬ（ｄＵ）の一部の幅を狭めるように切り欠くなどして形成したスペースに選択回路ＳＥＬ（ｄＵ）とスイッチＳ１ＬおよびＳ２Ｌを配置することで、表示領域２の外部の上辺額縁領域において、第２駆動電極ＴＬ（ｄＵ）を挟んで、横方向に配列するように配置する（図示Ａ部）。また、第２駆動電極ＴＬ（ｄＵ）において、選択回路ＳＥＬ（ｄＵ）とスイッチＳ１ＬおよびＳ２Ｌ、選択回路ＳＥＲ（ｄＵ）とスイッチＳ１ＲおよびＳ２Ｒがない部分は、縦方向の長さを長くする（凸型形状の凸部分の長さ、図示Ｂ部）。また、第２駆動電極ＴＬ（ｄＵ）において、スイッチＳ１ＬおよびＳ２Ｌ、スイッチＳ１ＲおよびＳ２Ｒの上側の部分は縦方向の長さを短くする（凸型形状の台部分の長さ、図示Ｃ部）。この部分は、スイッチＳ１ＬおよびＳ２Ｌ、スイッチＳ１ＲおよびＳ２Ｒから第２駆動電極ＴＬ（ｄＵ）まで配線を引き出す役割が果たせればよいので、短い長さでも構わない。なお、平面視において長いまたは短いと言うことは、平面視および断面視の観点では太いまたは細いと言い換えることもできる。
【００９３】
第２駆動電極ＴＬ（ｄＵ）は額縁領域に配置され、表示動作や電界発生動作は行わないため、第１駆動電極と同じパターンや配線幅とする必要がなく、第１駆動電極よりも配線幅を細くしたり、切り欠き部などを含むパターン形状とすることができる。
【００９４】
また、第２駆動電極ＴＬ（ｄＵ）は額縁領域に配置され、視認されることがないので、遮光性の金属材料などにより形成してもよい。上辺額縁領域の第２駆動電極ＴＬ（ｄＵ）は、表示領域２の第１駆動電極ＴＬ（０）〜ＴＬ（ｐ）よりも電極の幅や長さ、面積が小さくなってしまうが、第１駆動電極をＩＴＯなどの透明電極で形成し、第２駆動電極をＩＴＯよりも抵抗の低い金属材料で形成することで、表示領域２の第１駆動電極ＴＬ（０）〜ＴＬ（ｐ）に流れる電流と同じ量の電流を第２駆動電極に流すように設定できる。例えば、第２駆動電極ＴＬ（ｄＵ）はＴｉ（チタン）やＡＬ（アルミニウム）などで形成することができる。
【００９５】
また、信号配線ＴＰＬＬおよびＴＳＶＬ、信号配線ＴＰＬＲおよびＴＳＶＲの配線自体にも電流が流れて磁界を発生することを計算に入れ、第２駆動電極ＴＬ（ｄＵ）と信号配線ＴＰＬＬおよびＴＳＶＬ、信号配線ＴＰＬＲおよびＴＳＶＲとの合計で必要な電流値が流せるように設計している。すなわち、信号配線ＴＰＬＬおよびＴＳＶＬ、信号配線ＴＰＬＲおよびＴＳＶＲは、上辺額縁領域において第１駆動電極の延在方向すなわち辺２−Ｕに沿った方向に延在する部分（図示Ａ部）を含み、この信号配線も磁界発生の補助配線として利用できる。これにより、信号配線ＴＰＬＬおよびＴＳＶＬ、信号配線ＴＰＬＲおよびＴＳＶＲと第２駆動電極ＴＬ（ｄＵ）とに流れる電流量の合計と、表示領域２の第１駆動電極ＴＬ（０）〜ＴＬ（ｐ）の一本当たりに流れる電流量とを等しくすることができる。等しくするとは、例えば、第１駆動電極の一本当たりに流れる電流量の、０．８倍〜１．２倍の間などの所定の範囲内であることも含むものとする。このようにすることで、第１駆動電極よりも面積が小さく電極幅が一定でない第２電極を用いて第１駆動電極と同等の強度の磁界を発生することができる。
【００９６】
このように、図１２に示す変形例に係わる表示装置１では、表示領域２の外部の上辺額縁領域において、表示領域２の辺２−Ｕに沿って配列するように、第２駆動電極ＴＬ（ｄＵ）と共に、選択回路ＳＥＬ（ｄＵ）とスイッチＳ１ＬおよびＳ２Ｌ、選択回路ＳＥＲ（ｄＵ）とスイッチＳ１ＲおよびＳ２Ｒをそれぞれ配置することができる。このような配置によれば、表示領域２の辺２−Ｕとモジュール５００の辺５００−Ｕとの間の長さＬ１が、図１１に示す実施の形態１の長さＬ１１に比べて短くなり、上辺額縁領域の増加を抑制できるようになる。この結果、上辺額縁領域の狭額縁化が可能となる。
【００９７】
なお、表示領域２の外部の下辺額縁領域は、比較的に広い場合を想定し、選択回路ＳＥＬ（ｄＵ）とスイッチＳ１ＬおよびＳ２Ｌ、選択回路ＳＥＲ（ｄＵ）とスイッチＳ１ＲおよびＳ２Ｒを配置するスペースがあるので、図１１に示す実施の形態１と同様の配置としている。これに限らず、下辺も変形例の上辺と同様の配置としてもよい。また、下辺のみを変形例の上辺と同様の配置として、上辺は実施の形態１の下辺と同様の配置のままとしてもよい。
【００９８】
＜効果＞
実施の形態１に係わる表示装置１によれば、インセルタイプの表示装置の場合において、表示領域内の検出感度が均一な電磁誘導方式の入力検出装置を有する表示装置を提供することが出来る。また、変形例に係わる表示装置１によれば、表示領域２の外部の上辺額縁領域の増加を抑制する電磁誘導方式の入力検出装置を有する表示装置を提供することができる。特に、表示領域２の外部の上辺額縁領域における第２駆動電極ＴＬ（ｄＵ）、選択回路ＳＥＬ（ｄＵ）、ＳＥＲ（ｄＵ）、スイッチＳ１Ｌ、Ｓ２Ｌ、Ｓ１Ｒ、Ｓ２Ｒおよび信号配線ＴＰＬＬ、ＴＳＶＬ、ＴＰＬＲ、ＴＳＶＲの配置を工夫することで、表示領域の第１駆動電極より狭い面積の第２駆動電極を用いても所望量の磁界を額縁領域で発生することができる。
【００９９】
（実施の形態２）
実施の形態２に係わる表示装置１について、図１３〜図１５を用いて説明する。図１３〜図１５は、実施の形態２に係わる表示装置１の構成および動作を示す平面図である。この実施の形態２では、先に説明した実施の形態１との相違点を主に説明する。
【０１００】
実施の形態１においては、表示領域２の周辺の上辺額縁領域に１個の第２駆動電極ＴＬ（ｄＵ）を配置し、下辺額縁領域に１個の第２駆動電極ＴＬ（ｄＤ）を配置している。これに対して、実施の形態２においては、複数個の駆動電極を束として駆動する概念を適用するために、図１３〜図１５に示すように、表示領域２の周辺の上辺額縁領域に３個の第２駆動電極ＴＬ（ｄＵ１）〜ＴＬ（ｄＵ３）を配置し、下辺額縁領域に３個の第２駆動電極ＴＬ（ｄＤ１）〜ＴＬ（ｄＤ３）を配置するものである。
【０１０１】
磁界発生期間のとき、発生する磁界の強度を高めるために、複数個の駆動電極を束として駆動する場合には、発生する磁界の中心となる非選択の駆動電極の領域を挟むように配置された一方の複数個の駆動電極と他方の複数個の駆動電極とが同時に選択され、選択された一方の複数個の駆動電極と他方の複数個の駆動電極とにおいて流れる電流の方向が反対になるように駆動される。
【０１０２】
この場合、表示領域２の第１駆動電極ＴＬが束ねられる個数と同じ個数の第２駆動電極を額縁領域に配置することが好ましい。これは、一対となる駆動電極が例えばそれぞれｎ個の束であるとき、表示領域内で発生する磁界を均一にするためには、表示領域２の一番端の駆動電極を中心として磁界を発生させることを考えると、額縁領域にｎ個の補助電極が必要であり、端から二番目の駆動電極を中心とする場合は額縁領域にｎ−１個の補助電極が必要であり、端から三番目の駆動電極を中心とする場合は額縁領域にｎ−２個の補助電極が必要となるためである。
【０１０３】
図１３においては、隣接する３個の駆動電極の束（以下、束駆動電極とも称する）が非選択の第１駆動電極ＴＬ（０）を挟んで対となり、第１駆動電極ＴＬ（０）の領域を中心として磁界を発生する場合について示している。このとき、上辺額縁領域に配置された第２駆動電極ＴＬ（ｄＵ１）〜ＴＬ（ｄＵ３）から構成される束駆動電極と、表示領域に配置された第１駆動電極ＴＬ（１）〜ＴＬ（３）から構成される束駆動電極が第１駆動電極ＴＬ（０）を挟んで同時に選択される。
【０１０４】
磁界発生期間では、第２駆動電極ＴＬ（ｄＵ１）〜ＴＬ（ｄＵ３）に、その一方の端部から他方の端部に向けて電圧差によって矢印の電流Ｉ１１が流れ、磁界が発生する。同時に、第１駆動電極ＴＬ（１）〜ＴＬ（３）に、その他方の端部から一方の端部に向けて電圧差によって矢印の電流Ｉ１２が流れ、磁界が発生する。第２駆動電極ＴＬ（ｄＵ１）〜ＴＬ（ｄＵ３）によって発生した磁界と、第１駆動電極ＴＬ（１）〜ＴＬ（３）によって発生した磁界が、第１駆動電極ＴＬ（０）の領域において、重畳されることになり、強い磁界を第１駆動電極ＴＬ（０）の領域で発生させることが可能となる。この結果、表示領域２の辺２−Ｕに最も近接して配置された第１駆動電極ＴＬ（０）を中心として、表示領域２の中央付近の第１駆動電極を中心として発生する磁界と同程度の強度の磁界を発生することができる。
【０１０５】
図１３に続く次の磁界発生期間のときは、磁界発生の中心となる駆動電極が一個隣にシフトし、図１４に示すように、上辺額縁領域に配置された第２駆動電極ＴＬ（ｄＵ２）〜ＴＬ（ｄＵ３）と表示領域に配置された第１駆動電極ＴＬ（０）とが束とされ、束駆動電極が構成され、表示領域に配置された第１駆動電極ＴＬ（２）〜ＴＬ（４）が束とされ、束駆動電極が構成されている。この磁界発生期間では、第２駆動電極ＴＬ（ｄＵ２）〜ＴＬ（ｄＵ３）と第１駆動電極ＴＬ（０）とに矢印の電流Ｉ１１が流れて磁界が発生し、同時に、第１駆動電極ＴＬ（２）〜ＴＬ（４）に矢印の電流Ｉ１２が流れて磁界が発生し、これらの磁界が第１駆動電極ＴＬ（１）の領域において重畳されることになり、強い磁界を第１駆動電極ＴＬ（１）の領域で発生させることが可能となる。
【０１０６】
以降、順次、磁界発生の中心となる駆動電極をシフトし、表示領域２の最も下端部の駆動電極を中心とする磁界発生期間のときは、図１５に示すように、表示領域に配置された第１駆動電極ＴＬ（ｐ−３）〜ＴＬ（ｐ−１）が束とされ、束駆動電極が構成され、下辺額縁領域に配置された第２駆動電極ＴＬ（ｄＤ１）〜ＴＬ（ｄＤ３）が束とされ、束駆動電極が構成されている。この磁界発生期間では、第１駆動電極ＴＬ（ｐ−３）〜ＴＬ（ｐ−１）に矢印の電流Ｉ１１が流れて磁界が発生し、同時に、第２駆動電極ＴＬ（ｄＤ１）〜ＴＬ（ｄＤ３）に矢印の電流Ｉ１２が流れて磁界が発生し、これらの磁界が第１駆動電極ＴＬ（ｐ）の領域において重畳されることになり、強い磁界を第１駆動電極ＴＬ（ｐ）の領域で発生させることが可能となる。この結果、表示領域２の辺２−Ｄに最も近接して配置された第１駆動電極ＴＬ（ｐ）を中心として、表示領域２の中央付近に配置される第１駆動電極を中心に発生するのと同程度の強度の磁界を発生することができる。
【０１０７】
この実施の形態２においては、額縁領域に第２駆動電極ＴＬ（ｄＵ１）〜ＴＬ（ｄＵ３）および（ｄＤ１）〜ＴＬ（ｄＤ３）を配置することで、表示領域２（検出領域）において、検出精度が低下する領域を減らすことが可能となる。また、この実施の形態１においては、３個の駆動電極を束として駆動することで、実施の形態１に比べて、さらに強い磁界を発生させることが可能となる。
【０１０８】
この実施の形態２における表示装置１の回路配置においても、変形例と同様に、図１３に示すように、上辺額縁領域の第２駆動電極ＴＬ（ｄＵ１）〜ＴＬ（ｄＵ３）の形状およびサイズを工夫して、第２駆動電極ＴＬ（ｄＵ１）〜ＴＬ（ｄＵ３）を駆動する選択回路ＳＥＬ（ｄＵ１）〜ＳＥＬ（ｄＵ３）およびＳＥＲ（ｄＵ１）〜ＳＥＲ（ｄＵ３）とスイッチＳ１Ｌ、Ｓ２Ｌ、Ｓ１ＲおよびＳ２Ｒの配置を工夫している。第２駆動電極ＴＬ（ｄＵ１）〜ＴＬ（ｄＵ３）は、第１駆動電極ＴＬ（０）〜ＴＬ（ｐ）と比較した場合に、平面視で見たときに、横方向の長さ（電極の長さ）を短くし、かつ縦方向の長さ（電極の幅）も短くしている。さらに、第２駆動電極ＴＬ（ｄＵ１）〜ＴＬ（ｄＵ３）は、平面視で見たときに、長方形の所定の部分を切り欠くなどして所定の形状にしている。この第２駆動電極ＴＬ（ｄＵ１）〜ＴＬ（ｄＵ３）の形状の切り欠くなどした部分にスイッチＳ１ＬおよびＳ２Ｌ、スイッチＳ１ＲおよびＳ２Ｒをそれぞれ配置している。また、第２駆動電極ＴＬ（ｄＵ１）〜ＴＬ（ｄＵ３）の横方向の長さを短くして空いた左側と右側の部分に、選択回路ＳＥＬ（ｄＵ１）〜ＳＥＬ（ｄＵ３）、選択回路ＳＥＲ（ｄＵ１）〜ＳＥＲ（ｄＵ３）をそれぞれ配置している。
【０１０９】
すなわち、第２駆動電極ＴＬ（ｄＵ１）〜ＴＬ（ｄＵ３）を駆動する選択回路ＳＥＬ（ｄＵ１）〜ＳＥＬ（ｄＵ３）とスイッチＳ１ＬおよびＳ２Ｌ、選択回路ＳＥＲ（ｄＵ１）〜ＳＥＲ（ｄＵ３）とスイッチＳ１ＲおよびＳ２Ｒを、表示領域２の外部の上辺額縁領域において、第２駆動電極ＴＬ（ｄＵ１）〜ＴＬ（ｄＵ３）を挟んで、横方向に配列させて配置する。これにより、上辺額縁領域の縦方向において第１駆動電極ＴＬ（ｄＵ１）〜ＴＬ（ｄＵ３）の電極幅を超えて選択回路ＳＥＬやスイッチが配置されることがなく上辺額縁領域の増大を抑制する。また、第２駆動電極ＴＬ（ｄＵ１）〜ＴＬ（ｄＵ３）は、例えば低抵抗金属材料のＴｉ（チタン）やＡＬ（アルミニウム）などで形成することで、表示領域２の第１駆動電極ＴＬ（０）〜ＴＬ（ｐ）よりも配線幅が狭くても強い磁界が発生できる。また、信号配線ＴＰＬＬおよびＴＳＶＬ、信号配線ＴＰＬＲおよびＴＳＶＲの配線自体にも電流が流れて磁界を発生することを計算に入れ、第２駆動電極ＴＬ（ｄＵ１）〜ＴＬ（ｄＵ３）と信号配線ＴＰＬＬおよびＴＳＶＬ、信号配線ＴＰＬＲおよびＴＳＶＲとの合計で必要な電流値が流せるように設計している。
【０１１０】
すなわち、上辺額縁領域において第２駆動電極ＴＬ（ｄＵ１）〜ＴＬ（ｄＵ３）と信号配線ＴＰＬＲおよびＴＳＶＲとを、横方向に配列して配置するため信号配線ＴＰＬＲとＴＳＶＲについても磁界発生の補助電極として機能させることができる。駆動電極を束ねて磁界発生を行う際に、上辺額縁に束ね個数分（この実施の形態では３個分）第２駆動電極がない場合、表示領域２の上辺２−Ｕから一〜三番目の第１駆動電極ＴＬ（０）〜ＴＬ（２）を中心として磁界を発生させたい時に、表示領域２の中央付近と比べて磁界発生量が減少し、表示領域面内での検出感度が不均一となる。
【０１１１】
＜電子装置＞
図１６は、実施の形態１および２において説明した表示装置１を備えた電子装置１００の構成を示す斜視図である。電子装置１００は、表示装置１を備えたタブレット型のコンピュータ１０１とペンＰｅｎとを備えている。ペンＰｅｎは、図２に示したように、コイルおよび容量素子を含む指示器である。図１６において、２は、上記した表示領域を示し、１０２は、表示領域２を囲むように配置された額縁領域を示している。また、１０３は、コンピュータ１０１のボタンを示している。
【０１１２】
上記した表示期間において、表示領域２に画像の表示が行われ、磁界タッチ検出期間等において、ペンＰｅｎが、表示領域２に近接しているか否か、および座標の検出が行われ、この検出の結果に応じて、コンピュータ１０１が処理を行う。
【０１１３】
＜効果＞
実施の形態２に係わる表示装置１においても、実施の形態１と同様に、インセルタイプの表示装置の場合において、表示領域２の外部の上辺額縁領域の増加を抑制する入力検出装置を有する表示装置を提供することができる。特に、表示領域２の外部の上辺額縁領域における第２駆動電極ＴＬ（ｄＵ１）〜ＴＬ（ｄＵ３）、選択回路ＳＥＬ（ｄＵ１）〜ＳＥＬ（ｄＵ３）、ＳＥＲ（ｄＵ１）〜ＳＥＲ（ｄＵ３）、スイッチＳ１Ｌ、Ｓ２Ｌ、Ｓ１Ｒ、Ｓ２Ｒおよび信号配線ＴＰＬＬ、ＴＳＶＬ、ＴＰＬＲ、ＴＳＶＲの配置を工夫することで、狭額縁のまま、第２駆動電極ＴＬ（ｄＵ１）〜ＴＬ（ｄＵ３）にも必要な電流を流すことができる。
【０１１４】
本発明の思想の範疇において、当業者であれば、各種の変形例及び修正例に想到し得るものであり、それら変形例及び修正例についても本発明の範囲に属するものと了解される。
【０１１５】
例えば、前述の各実施の形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【０１１６】
例えば、前述の実施の形態においては、第１駆動電極ＴＬ（０）〜ＴＬ（ｐ）、第２駆動電極ＴＬ（ｄＵ）およびＴＬ（ｄＤ）は、行方向（横方向）に延在し、列方向（縦方向）に平行に配置されている場合を説明したが、行方向および列方向は、見る視点により変化する。見る視点を変えて、第１駆動電極ＴＬ（０）〜ＴＬ（ｐ）、第２駆動電極ＴＬ（ｄＵ）およびＴＬ（ｄＤ）が、列方向に延在し、行方向に平行に配置されている場合も本発明の範囲に含まれるものである。また、本明細書で用いている「平行」とは、互いに一端から他端に亘るまで交わることなく延在することを意味する。そのため、一方の線（あるいは電極）の一部又は全部が他方の線（あるいは電極）に対して傾いた状態で設けられていたとしても、これらの線が一端から他端まで交わるものでなければ、本明細書においては、この状態も「平行」であるとする。
【符号の説明】
【０１１７】
１  表示装置
３  制御装置
５  タッチ制御装置
１００  電子装置
ＤＲＶＬ、ＤＲＶＲ  第１駆動回路
ＤＲＶＵ、ＤＲＶＤ  第２駆動回路
Ｓ１Ｌ、Ｓ２Ｌ、Ｓ１Ｒ、Ｓ２Ｒ  スイッチ
ＳＥＬ（０）〜ＳＥＬ（ｐ）、ＳＥＲ（０）〜ＳＥＲ（ｐ）  選択回路
ＳＥＬ（ｄＵ）、ＳＥＲ（ｄＵ）、ＳＥＬ（ｄＤ）、ＳＥＲ（ｄＤ）  選択回路
ＴＬ（０）〜ＴＬ（ｐ）  第１駆動電極
ＴＬ（ｄＵ）、ＴＬ（ｄＤ）  第２駆動電極
ＴＰＬＬ、ＴＳＶＬ、ＴＰＬＲ、ＴＳＶＲ  信号配線
ＵＤＬ（０）〜ＵＤＬ（ｐ）、ＵＤＲ（０）〜ＵＤＲ（ｐ）  単位駆動回路
ＵＤＬ（ｄＵ）、ＵＤＲ（ｄＵ）、ＵＤＬ（ｄＤ）、ＵＤＲ（ｄＤ）  単位駆動回路
【図１】
2018037074.tif 000003
【図２】
2018037074.tif 000004
【図３】
2018037074.tif 000005
【図４】
2018037074.tif 000006
【図５】
2018037074.tif 000007
【図６】
2018037074.tif 000008
【図７】
2018037074.tif 000009
【図８】
2018037074.tif 000010
【図９】
2018037074.tif 000011
【図１０】
2018037074.tif 000012
【図１１】
2018037074.tif 000013
【図１２】
2018037074.tif 000014
【図１３】
2018037074.tif 000015
【図１４】
2018037074.tif 000016
【図１５】
2018037074.tif 000017
【図１６】
2018037074.tif 000018